(57)【要約】【課題】プッシュボタンのスライド性を良好に維持しつつ、プッシュボタンの上面の外周縁とダイヤルの上端の内周縁との間の隙間の均一性を確保できるようにしたスイッチ装置を提供する。【解決手段】円筒状のガイド部材３の外周側に同心状に配され且つガイド部材に回転自在に装着された円筒状のダイヤル９と、ダイヤルの内周側に同心状に配され且つガイド部材に軸方向にスライド自在に装着されたプッシュボタン１１と、を備え、ダイヤルの内周面に、プッシュボタンの外周面を弾性支持する複数の弾性突起６ｃが設けられている。【選択図】図１
2007053061.tif 000002
【特許請求の範囲】
【請求項１】
円筒状のガイド部材（３）の外周側に前記ガイド部材（３）に対して回転自在に設けられた円筒状のダイヤル（９）と、
該ダイヤル（９）の内周側に同心状に配され且つ前記ガイド部材（３）に軸方向にスライド自在に装着されたプッシュボタン（１１）と、
を備え、
前記ダイヤル（９）の内周面または前記プッシュボタン（１１）の外周面の何れか一方に設けられ、他方を弾性支持する複数の弾性突起（６ｃ）が設けられていることを特徴とするスイッチ装置。
【発明の詳細な説明】
【技術分野】
【０００１】
本発明は、主に車両のインストルメントパネル上に装備されるダイヤル操作が可能なスイッチ装置に関するものである。
【背景技術】
【０００２】
図１０、図１１は特許文献１に記載された従来のスイッチ装置の断面図である。
【０００３】
このスイッチ装置は、図１０に示すように、プッシュスイッチ部１０１と、このプッシュスイッチ部１０１の周囲に配されたダイヤルスイッチ部１０２とを備える。
【０００４】
プッシュスイッチ部１０１は、基板Ｐに固定された筒状のガイド部材１０３の内周側において軸方向摺動自在に支持された筒状のプッシュボタン１１１と、このスイッチノブの上面を覆うように取り付けられた透光性を有する意匠プレートとを備えており、これらを押し下げることにより、基板Ｐ上に搭載されたプッシュスイッチ本体１２０を押圧するようになっている。
【０００５】
ダイヤルスイッチ部１０２は、ガイド部材１０３の外周側に回転自在に設けられた回転部材１０５と、回転部材１０５と共にガイド部材１０３の外周において回転自在に設けられた筒状のダイヤル１０６と、を有する。
【０００６】
回転部材１０５とガイド部材１０３は、軸方向において対面するフランジ部分を有しており、その対面するフランジ部分が互いに当接することで、回転部材１０５の軸方向の押し下げ移動が規制されている。また、ダイヤル１０６と回転部材１０５との間は、両者が一緒に回転し得るように係合されると共に、ダイヤル１０６が回転部材１０５に対して軸方向に動かないようにストッパによって規制されている。
【０００７】
また、ガイド部材１０３と回転部材１０５のフランジ部分の相互摺動面には、それぞれ固定接点１０４ａと可動接点１０４ｂが設けられており、ダイヤル１０６及び回転部材１０５の回転に応じて、固定接点１０４ａと可動接点１０４ｂとの摺接位置が切り替わることで、所望の操作信号を出力するようになっている。
【０００８】
また、プッシュボタン１１１はガイド部材３の内周にスライド自在に装着されており、そのスライド動作を案内するために、図１１に示すように、プッシュボタン１１１の外周面とガイド部材１０３の内周面には、軸方向に沿って延びて互いにスライド自在に嵌合するガイドリブ１１ｇとスライド溝１０３ｇが設けられている。
【特許文献１】特開２００４−２８１２０５号公報
【発明の開示】
【発明が解決しようとする課題】
【０００９】
ところで、プッシュボタン１１１の上面の外周縁とダイヤル１０６の上端部の内周縁は近接しており、これらの隙間Ｈから内側の部品が見えないようになっている。この隙間Ｈは、大きいと見栄えが悪いので、できるだけ小さく、しかも周方向に均一な寸法に保っておくのが好ましい。
【００１０】
それを実現するには、前記ガイド溝１０３ｇとガイドリブ１１１ｇの嵌合隙間を狭くするのがよいが、そうすると逆に、プッシュボタン１１１のスライド性が悪くなってしまうという問題があった。
【００１１】
本発明は、プッシュボタンのスライド性を良好に維持しつつ、プッシュボタンの上面の外周縁とダイヤルの上端の内周縁との間の隙間の均一性を確保できるようにしたスイッチ装置を提供することを目的とする。
【課題を解決するための手段】
【００１２】
請求項１の発明は、円筒状のガイド部材の外周側に前記ガイド部材に対して回転自在に設けられた円筒状のダイヤルと、該ダイヤルの内周側に同心状に配され且つ前記ガイド部材に軸方向スライド自在に装着されたプッシュボタンと、を備え、前記ダイヤルの内周面または前記プッシュボタンの外周面の何れか一方に設けられ他方を弾性支持する複数の弾性突起が設けられていることを特徴とする。
【発明の効果】
【００１３】
請求項１によれば、ダイヤルに設けた弾性突起によりプッシュボタンを弾性支持するので、プッシュボタンの上面の外周縁とダイヤルの上端の内周縁との間の隙間の均一性を良好に維持することができる。従って、スライドガイド用に設ける溝とリブの嵌合隙間を特別に狭くする必要がなくなるため、プッシュボタンの摺動性を犠牲にすることがなく、スムーズな操作性を保証することができる。
【発明を実施するための最良の形態】
【００１４】
以下、本発明の実施形態を図面を参照して説明する。
【００１５】
図１は実施形態のスイッチ装置の断面図、図２は同スイッチ装置におけるダイヤル部分だけを取り出して示す断面図、図３は同ダイヤル部分の斜視図、図４は同ダイヤル部分の斜視断面図、図５は同ダイヤル部分の分解斜視図、図６は同ダイヤル部分の正面図、図７（ａ）、（ｂ）は同スイッチ装置のプッシュスイッチ部だけ取り出して示す正面図と側面図、図８（ａ）、（ｂ）はダイヤルスイッチ部とプッシュスイッチ部の組み合わせ部分だけを取り出して示す正面図と側面図、図９（ａ）〜（ｃ）はダイヤルベースと装飾部材の組み合わせ工程の説明図である。
【００１６】
本実施形態のスイッチ装置は、車両用空調装置の操作部の一部をなすもので、例えばインストルメントパネル上に装備される。このスイッチ装置は、図１に示すように、インストルメントパネル上に装着されるケース９０と、このケース９０に固定された基板Ｐと、基板Ｐに固定された円筒状のガイド部材３と、ガイド部材３の内周側に配置され且つガイド部材３に対して軸方向に摺動自在に支持されたプッシュスイッチ部１と、ガイド部材３の外周側に配置されるとともにプッシュスイッチ部１の外周側に配置され且つガイド部材３に対して周方向に回転自在に支持されたダイヤルスイッチ部２と、を備える。
【００１７】
プッシュスイッチ部１は、基板Ｐに固定された筒状のガイド部材３に軸方向に摺動自在に支持された円筒状のプッシュボタン１１と、このプッシュボタン１１の上面を覆うように取り付けられた透光性を有する意匠プレート１２とを備えており、プッシュスイッチ部１（プッシュボタン１１及び意匠プレート１２）を押し下げることにより、基板Ｐ上に搭載されたプッシュスイッチ素子（図示略）を押圧できるようになっている。そして、このプッシュスイッチ素子の押釦回数に応じて、所望の操作信号を取り出せるようになっている。
【００１８】
意匠プレート１２には、プッシュスイッチ素子が押圧されたか否かを示すためのインジケータ部（図示略）が設けられており、このインジケータ部は基板Ｐ上に搭載されたＬＥＤ等の光源（図示略）により照明される。これにより、意匠プレート１２のインジケータ部によって、プッシュスイッチ素子２０が押圧されたか否かを操作者が認識できるようになっている。
【００１９】
ダイヤルスイッチ部２は、ガイド部材３の外周側に回転自在に装着された円筒状の回転部材５と、回転部材５に固定されガイド部材３の外周において回転部材５と一体的に回転するダイヤル９と、を備える。ダイヤル９は、回転部材５の外周に固定される円筒状のダイヤルベース６と、ダイヤルベース６の外周に嵌合された円筒状の装飾部材７と、ダイヤルベース６の外周と装飾部材７の内周との間に介在された円筒状の弾性部材８と、が一体に組み合わせられることで構成されている。なお、弾性部材８は、ゴムや軟質樹脂の成形体より、帯状部材として形成されている。
【００２０】
回転部材５とガイド部材３は、軸方向において対面するフランジ部分５ｆ、３ｆを有しており、その対面するフランジ部分５ｆ、３ｆが互いに当接することで、回転部材５の軸方向の押し下げ移動が規制されている。また、ダイヤルベース６と回転部材５との間は、両者が一緒に回転し得るように係合爪６ａと係合凹部５ａにより係合されると共に、ダイヤルベース６が回転部材５に対して軸方向に動かないようにストッパ６ｓ、５ｓによって規制されている。
【００２１】
また、ガイド部材３と回転部材５のフランジ部分３ｆ、５ｆの相互摺動面には、それぞれ固定接点４ａと可動接点４ｂが設けられており、ダイヤル９及び回転部材５の回転に応じて、固定接点１０４ａと可動接点１０４ｂの摺接位置が切り替わることで、所望の操作信号を取り出せるようになっている。
【００２２】
図２に示すように、ダイヤルベース６は、内筒部分６Ａと外筒部分６Ｂとを有する略二重筒状の構造をなしている。ダイヤルベース６の内筒部分６Ａと外筒部分６Ｂとは、基端側の環状溝６Ｇによって隔てられ先端側で相互に連結している。
【００２３】
内筒部分６Ａの内周には、図３に示すように、前記ストッパ６ｓや係合爪６ａが形成されている。また、それらと同様に、内筒部分６Ａの内周には、図１に示すように、プッシュボタン１１の外周に設けたガイド円筒面１１ｃに摺接することで、プッシュボタン１１を弾性支持する弾性突起６ｃが設けられている。この弾性突起６ｃは周方向にほぼ等間隔に複数設けられている。
【００２４】
また、外筒部分６Ｂは、先端側から基端側に向けてフレア状に拡開しており、その基端外周には、図２に示すように、装飾部材７側の係合爪７ｅと係合することで、ダイヤルベース６を装飾部材７を抜け止め及び回り止めする係合穴６ｅが形成されている。また、外筒部分６Ｂの先端外周面には、装飾部材７に対してのダイヤルベース６の挿入先端側に向けて漸次小径となるテーパ面６ｂが形成されている。このダイヤルベース６の外周のテーパ面６ｂと、装飾部材７の内周面と、の間に弾性部材８が挟持される。
【００２５】
また、装飾部材７は、全体がダイヤルベース６の外筒部分６Ｂの外周形状に沿う先窄まり形状に形成されており、その内周面には、ダイヤルベース６の外周のテーパ面６ｂに対応したテーパ面７ｂが設けられている。また、装飾部材７には、テーパ面７ｂのある部分に位置させて、周方向に間隔的に複数の長孔７ａが配列されている。
【００２６】
弾性部材８の外周面には、装飾部材７側の長孔７ａに対応させて、各長孔７ａに嵌まった上で頂面が長孔７ａから外に突出する複数の突起８ａが周方向に間隔的に配列されている。この弾性部材８の突起８ａが、図３、図４に示すように、装飾部材７の長孔７ａから外側に突出することによって、ダイヤル９を回す際の滑り止めとなる。
【００２７】
図５に示すように、弾性部材８は、装飾部材７の内周のテーパ面７ｂに対応させたテーパ形状に形成されており、その内周面には、ダイヤルベース６の外周のテーパ面６ｂに周方向に並べて形成した凹部６ｄと嵌まる複数の凸部８ｄが設けられている。従って、弾性部材８の内周側にダイヤルベース６を挿入して、凹部６ｄと凸部８ｄを嵌合させることで、両者が回り止めされる。
【００２８】
また、前述したように、プッシュボタン１１はガイド部材３の内周にスライド自在に装着されているが、そのスライド動作を案内するために、また、プッシュボタン１１が回転しないように規制するために、プッシュボタン１１の外周面とガイド部材３の内周面には、軸方向に沿って延びて互いにスライド自在に嵌合するガイドリブ１１ｇとスライド溝３ｇが設けられている。
【００２９】
プッシュボタン１１は、図１、図７に示すように、先端方向に向けてフレア状に拡がった形状をなしており、意匠プレート１２を取り付けた上面において、その外周側のダイヤル９の内周との間に僅かの隙間Ｈを保っている。この隙間Ｈは小さい方がよく、プッシュボタン１１の先端側が大径になっていることで、隙間Ｈは小さく保たれている。ところが、この隙間Ｈを小さくするには、前記のスライドリブ１１ｇとスライド溝３ｇの嵌合精度を高めなくてはならず、そうなると逆にスライド性が悪くなる。
【００３０】
そこで、本実施形態では、前述したように、ダイヤルベース６の内周に設けた弾性突起６ｃが、プッシュボタン１１の外周のガイド円筒面１１ｃを弾性支持することで、プッシュボタン１１を適正位置に保持している。これにより、スライドガイドとしてのスライドリブ１１ｇとスライド溝３ｇの嵌合精度を厳しく管理しないでも、ダイヤル９とプッシュボタン１１の間の隙間Ｈを精度よく出すことができる。しかも、嵌合精度を緩和できることから、スライド性を犠牲にしなくてもよくなる。
【００３１】
また、本実施形態では、ダイヤルベース６と装飾部材７との間に弾性部材８を介在させので、両者の寸法精度をあまり高くしないでも、ガタ付きなくダイヤルベース６と装飾部材７を組み合わせることができ、製造コストを抑えることができる。しかも、ダイヤルベース６の外周面には、装飾部材７に対する挿入先端側に向けて漸次小径となるテーパ面６ｂを形成してあるため、円筒状の装飾部材７の内周側に、軸方向から円筒状のダイヤルベース６を組み付ける際に組み付けやすい。
【００３２】
つまり、ダイヤルベース６と装飾部材７を組み付ける場合、図９（ａ）〜（ｃ）に示すように装飾部材７の内周に予め弾性部材８を嵌め込んだ状態で、その中にダイヤルベース６を挿入するのであるが、その際に、弾性部材８が引っ掛かって邪魔になる可能性が考えられるものの、ダイヤルベース６の外周に先窄まり形状のテーパ面６ｂを形成していること、しかも、弾性部材８をテーパ形状に形成してあることにより、弾性部材８に引っ掛からずに、スムーズにダイヤルベース６を装飾部材７の内周に組み付けることができる。従って、組み付け作業がやりやすい。また、弾性部材８を挟持する対向面（装飾部材７の内周面のテーパ面７ｂと、ダイヤルベース６の外周面のテーパ面６ｂ）が、互いに略平行になるため、弾性部材８の装着性も良好になる。
【００３３】
以下、本実施形態の効果をまとめる。
【００３４】
（１）本実施形態のスイッチ装置は、円筒状のガイド部材３の外周側にガイド部材３に対して回転自在に装着された円筒状のダイヤル９と、ダイヤル９の内周側に同心状に配され且つガイド部材３に対して軸方向にスライド自在に装着されたプッシュボタン１１と、を備え、ダイヤル９の内周面またはプッシュボタン１１の外周面の何れか一方（この例ではプッシュボタン１１）に設けられ、他方（この例ではダイヤル９）を弾性支持する複数の弾性突起６ｃが設けられていることを特徴とする。そのため、プッシュボタン１１の上面の外周縁とダイヤル９の上端の内周縁との間の隙間Ｈの均一性を良好に維持できる。従って、スライドガイド用に設けるリブ１１ｇと溝３ｇの嵌合隙間を特別に狭くする必要がなくなるため、プッシュボタン１１の摺動性を犠牲にすることがなく、スムーズな操作性を保証できる。
【００３５】
（２）本実施形態のスイッチ装置は、円筒状のダイヤルベース６と、ダイヤルベース６の外周に組み付けられた円筒状の装飾部材７と、ダイヤルベース６の外周と装飾部材７の内周との間に介在された円筒状の弾性部材８と、を備え、ダイヤルベース６の外周面には、ダイヤルベース６の挿入方向に向けて漸次小径となるテーパ面６ｂが形成され、ダイヤルベース６の外周面のテーパ面６ｂと装飾部材７の内周面との間に弾性部材８が挟持されている。そのため、ダイヤルベース６と装飾部材７との間に弾性部材８が介在するため、両者の寸法精度をあまり高くしないでも、ガタ付きなくダイヤルベース６と装飾部材７を組み合わせることができる。しかも、ダイヤルベース６の外周面には、装飾部材７に対する挿入方向に向けて漸次小径となるテーパ面６ｂが形成されているため、円筒状の装飾部材７の内周側に、軸方向から円筒状のダイヤルベース６を組み付ける際に組み付けやすい。つまり、ダイヤルベース６の外周に先窄まりのテーパ面６ｂがあるため、ダイヤルベース６を挿入する際に、弾性部材８が引っ掛かって邪魔にならずに、ダイヤルベース６をスムーズに装飾部材７に組み付けることが可能になる。
【００３６】
（３）また本実施形態のスイッチ装置では、装飾部材７の内周面に、ダイヤルベース６の外周のテーパ面６ｂに対応したテーパ面７ｂが設けられている。そのため、弾性部材８を挟持する対向面（装飾部材７の内周面の傾斜面７ｂと、ダイヤルベース６の外周面の傾斜面６ｂ）が、略平行になるため、弾性部材８の装着性が良好になる。
【００３７】
なお、本発明は、上述の実施形態のみに限定解釈されるものではなく、本発明の技術的思想の範囲内で様々な変更が可能であることはいうまでもない。
【図面の簡単な説明】
【００３８】
【図１】本発明の一実施形態にかかるスイッチ装置の断面図である。
【図２】同スイッチ装置におけるダイヤル部分だけを取り出して示す断面図である。
【図３】同ダイヤル部分の斜視図である。
【図４】同ダイヤル部分の斜視断面図である。
【図５】同ダイヤル部分の分解斜視図である。
【図６】同ダイヤル部分の正面図である。
【図７】（ａ）、（ｂ）は同スイッチ装置のプッシュスイッチ部だけ取り出して示す正面図と側面図である。
【図８】（ａ）、（ｂ）はダイヤルスイッチ部とプッシュスイッチ部の組み合わせ部分だけを取り出して示す正面図と側面図である。
【図９】（ａ）〜（ｃ）はダイヤルベースと装飾部材の組み合わせ工程の説明図である。
【図１０】従来のスイッチ装置の断面図である。
【図１１】図１０のＸＩ−ＸＩ矢視断面図である。
【符号の説明】
【００３９】
Ｐ  基板
３  ガイド部材
６ｃ  弾性突起
９  ダイヤル
１１  プッシュボタン
【図１】
2007053061.tif 000003
【図２】
2007053061.tif 000004
【図３】
2007053061.tif 000005
【図４】
2007053061.tif 000006
【図５】
2007053061.tif 000007
【図６】
2007053061.tif 000008
【図７】
2007053061.tif 000009
【図８】
2007053061.tif 000010
【図９】
2007053061.tif 000011
【図１０】
2007053061.tif 000012
【図１１】
2007053061.tif 000013